(57)【特許請求の範囲】
【請求項１】
複数の蓄電池と、
前記複数の蓄電池のそれぞれに対応して設けられ、対応する蓄電池を充放電させる複数の充放電制御装置と、
前記複数の充放電制御装置のそれぞれに対応して設けられ、対応する充放電制御装置の温度である充放電制御装置温度を測定する複数の第１温度測定部と、
前記複数の第１温度測定部により計測された充放電制御装置温度に基づき、充放電される前記蓄電池の順序を決定し、前記決定した順序に従って前記充放電制御装置に対する充放電指令信号を出力する統括制御部と、
を備える蓄電システム。
【請求項２】
前記統括制御部は、
前記複数の蓄電池のうち充放電電力を配分する蓄電池の個数を決定し、決定した個数の前記蓄電池を前記決定した順序に従って選択し、選択した前記蓄電池に対応する前記充放電制御装置に対して、配分された充放電電力の充放電を指示する前記充放電指令信号を出力する、
請求項１に記載の蓄電システム。
【請求項３】
前記蓄電池の温度である蓄電池温度を測定する第２温度測定部をさらに備え、
前記統括制御部は、
前記充放電制御装置温度と前記蓄電池温度とに基づき前記順序を決定する、
請求項１または２に記載の蓄電システム。
【請求項４】
前記統括制御部は、
第１のモードが設定されている場合、前記充放電制御装置温度および前記蓄電池温度に基づき、前記蓄電池および前記充放電制御装置の総合効率を比較するための第１の指数を算出し、算出した前記第１の指数に基づき、充放電電力を配分する請求項３に記載の蓄電システム。
【請求項５】
前記第１の指数は、他の前記蓄電池および他の前記充放電制御装置に比べて、前記充放電制御装置温度が低く、且つ、前記蓄電池温度が高いほど大きくなる指数である、
請求項４に記載の蓄電システム。
【請求項６】
前記統括制御部は、
第２のモードが設定されている場合、前記充放電制御装置温度および前記蓄電池温度に基づき、前記充放電制御装置の性能および前記蓄電池の劣化抑制度合いを比較するための第２の指数を算出し、算出した前記第２の指数に基づき、充放電電力を配分する、
請求項３から５のうちいずれか１項に記載の蓄電システム。
【請求項７】
前記第２の指数は、他の前記蓄電池および他の前記充放電制御装置に比べて、前記充放電制御装置温度が低く、且つ、前記蓄電池温度が低いほど大きくなる指数である、
請求項６に記載の蓄電システム。
【請求項８】
前記統括制御部は、
第３のモードが設定されている場合、前記蓄電池の劣化の程度を示す劣化指数を算出し、前記充放電制御装置温度および前記劣化指数に基づき、前記充放電制御装置の性能および前記蓄電池の劣化度合いを比較するための第３の指数を算出し、算出した前記第３の指数に基づき、充放電電力を配分する、
請求項１から７のうちいずれか１項に記載の蓄電システム。
【請求項９】
前記第３の指数は、他の前記蓄電池および他の前記充放電制御装置に比べて、前記充放電制御装置温度が低く、且つ、前記劣化指数が低いほど大きくなる指数である請求項８に記載の蓄電システム。
【請求項１０】
前記統括制御部は、設定されたモードに従って前記順序を決定すると共に、入力部からの操作指示に基づき、前記モードを切り替える、
請求項１から９のうちいずれか一項に記載の蓄電システム。
【請求項１１】
前記統括制御部は、前記蓄電池の充電率に基づき、前記蓄電池の充電率が予め決められた範囲内となるように、前記充電率が前記範囲外である前記蓄電池を優先的に充放電させる、
請求項１から１０のうちいずれか一項に記載の蓄電システム。
【請求項１２】
複数の蓄電池と、前記複数の蓄電池のそれぞれに対応して設けられ、対応する蓄電池を充放電させる複数の充放電制御装置と、前記複数の充放電制御装置のそれぞれに対応して設けられ、対応する充放電制御装置の温度である充放電制御装置温度を測定する複数の第１温度測定部と、を備える蓄電システムの制御コンピュータが、
前記複数の第１温度測定部により計測された充放電制御装置温度に基づき、充放電される前記蓄電池の順序を決定し、
前記決定した順序に従って前記充放電制御装置に対する充放電指令信号を出力する
蓄電制御方法。
【請求項１３】
複数の蓄電池と、前記複数の蓄電池のそれぞれに対応して設けられ、対応する蓄電池を充放電させる複数の充放電制御装置と、前記複数の充放電制御装置のそれぞれに対応して設けられ、対応する充放電制御装置の温度である充放電制御装置温度を測定する複数の第１温度測定部と、を備える蓄電システムの制御コンピュータに、
前記複数の第１温度測定部により計測された充放電制御装置温度に基づき、充放電される前記蓄電池の順序を決定させ、
前記決定した順序に従って前記充放電制御装置に対する充放電指令信号を出力させる
蓄電制御プログラム。
【発明の詳細な説明】
【技術分野】
【０００１】
本発明の実施形態は、蓄電システム、蓄電制御方法、および蓄電制御プログラムに関する。
【背景技術】
【０００２】
太陽光や風力、地熱等の自然エネルギーを利用した発電手段は、環境に応じて発電量が変動する。このため、変動を抑制するために二次電池などの蓄電池が付設される場合がある。例えば、蓄電池に対して数十ＭＷ級の電力を充放電する場合、数百ｋＷ級の蓄電池を複数、並列に使用することが知られている。各蓄電池には、蓄電電力を家庭で使用できるように変換するパワーコンディショナーが接続されている。しかしながら、従来の技術では、パワーコンディショーの性能が低下したまま充放電を継続することで、蓄電池を充放電する際の効率が悪くなる問題があった。
【先行技術文献】
【特許文献】
【０００３】
【特許文献１】特開２０１１−７５４６１号公報
【特許文献２】特開２０１１−９１０２６号公報
【特許文献３】特開２０１０−２３７４号公報
【非特許文献】
【０００４】
【非特許文献１】複数電池に対する充放電電力配分アルゴリズム  戸原正博  久保田雅之  遠藤保  鮫田芳富  水谷麻美  電気学会Ｂ部門大会
【発明の概要】
【発明が解決しようとする課題】
【０００５】
本発明が解決しようとする課題は、効率を向上させることができる蓄電システム、蓄電制御方法、および蓄電制御プログラムを提供することである。
【課題を解決するための手段】
【０００６】
実施形態の蓄電システムは、複数の蓄電池と、複数の充放電制御装置と、複数の第１温度測定部と、統括制御部と、を持つ。前記複数の充放電制御装置は、前記複数の蓄電池のそれぞれに対応して設けられ、対応する蓄電池を充放電させる。前記複数の第１温度測定部は、前記複数の充放電制御装置のそれぞれに対応して設けられ、対応する充放電制御装置の温度である充放電制御装置温度を測定する。前記統括制御部は、前記複数の第１温度測定部により計測された充放電制御装置温度に基づき、充放電される前記蓄電池の順序を決定し、前記決定した順序に従って前記充放電制御装置に対する充放電指令信号を出力する。
【図面の簡単な説明】
【０００７】
【図１】実施形態の蓄電システムの構成例を示す図。
【図２】実施形態の充放電ユニットの構成例を示す図。
【図３】実施形態の制御コントローラの構成例を示すブロック図。
【図４】実施形態の充放電ユニット情報テーブルの一例を示す図。
【図５】実施形態の表示画面の一例を示す図。
【図６】実施形態の充放電指令部による処理の一例について説明するためのフローチャート。
【図７】実施形態のＳＯＣ調整部による処理の一例について説明するためのフローチャート。
【図８】実施形態の充放電指令部による処理の他の例について説明するためのフローチャート。
【発明を実施するための形態】
【０００８】
以下、実施形態の蓄電システム、蓄電制御方法、および蓄電制御プログラムを、図面を参照して説明する。
【０００９】
（第１の実施形態）
図１は、第１の実施形態の蓄電システム１の構成例を示す図である。図中、実線は電力線を、破線は通信線を、それぞれ示している。蓄電システム１は、例えば、太陽光や風力、地熱等の自然エネルギーを利用した発電装置Ｇに接続される。発電装置Ｇおよび蓄電システム１が供給する電力は、変圧器Ｔを介して、商用電源および負荷を含む電力系統Ｅに提供される。発電装置Ｇからの供給電力は変動するため、蓄電システム１は、発電装置Ｇからの供給電力の変動を抑制するための電力を、電力系統Ｅに供給する。
【００１０】
蓄電システム１は、例えば、複数の充放電ユニット１００（１）〜１００（ｊ）と、制御コントローラ２００（「統括制御部」の一例）と、電力計３００とを備える。充放電ユニット１００（１）〜１００（ｊ）は、同じ構成を有し、蓄電池ユニット１０（「蓄電池」の一例）とＰＣＳ（Power Conditioning Subsystem）４０（「充放電制御装置」の一例）と、を備える。蓄電池ユニット１０は、ＰＣＳ４０を介して、電力系統Ｅと接続されている。なお、充放電ユニットの個数は任意であって、ｊは２以上の整数である。以下、必要に応じて、各充放電ユニット１００（１）〜１００（ｊ）を、充放電ユニット１００と記す場合がある。充放電ユニット１００は、変圧器Ｔを介して電力系統Ｅに接続される。
【００１１】
充放電ユニット１００は、蓄電池ユニット１０の温度（以下、蓄電池温度ＴＢａｔという。）と、ＰＣＳ４０の温度（以下、ＰＣＳ温度Ｔｐｃｓという。）とを測定し、制御コントローラ２００に出力する。実施形態において、各充放電ユニット１００（１）〜１００（ｊ）により測定される各蓄電池ユニット１０の蓄電池温度をＴＢａｔ（１）〜ＴＢａｔ（Ｊ）、各ＰＣＳ４０のＰＣＳ温度をＴｐｃｓ（１）〜Ｔｐｃｓ（Ｊ）、と記す。
電力計３００は、発電装置Ｇから供給される電力を測定し、制御コントローラ２００に出力する。制御コントローラ２００は、電力計３００から入力された電力の値に基づいて、蓄電システム１の充放電電力Ｐを決定する。充放電電力Ｐとは、蓄電システム１が充電または放電する電力である。
【００１２】
制御コントローラ２００は、充放電ユニット１００から入力された蓄電池温度ＴＢａｔとＰＣＳ温度Ｔｐｃｓとに基づき、充放電ユニット１００（１）〜１００（ｊ）の中から、充放電電力Ｐの一部または全部の電力を充放電させる配分先を決定する。制御コントローラ２００は、配分先に決定した充放電ユニット１００のＰＣＳ４０に対し充放電指令を出力することで、蓄電システム１による充放電電力Ｐの充放電を行わせる。なお、充放電指令とは、充放電の開始を指示すると共に、配分された充放電電力（以下、配分充放電電力という。）の値を示す情報を含む指令信号である。また、充放電指令には、充電を指示する充電指令と、放電を指示する放電指令とが含まれる。充放電指令を受信した充放電ユニット１００は、配分充放電電力の充放電を開始する。
【００１３】
具体的に説明すると、制御コントローラ２００は、充放電電力Ｐに基づき、配分先である充放電ユニット１００の個数と、配分先の配分充放電電力とを決定する。例えば、充放電電力Ｐが２５０〜４９９ｋｗの範囲内である場合、制御コントローラ２００は、配分先の個数を「１」に決定し、充放電電力Ｐを配分充放電電力に決定する。一方、充放電電力Ｐが５００〜７４９ｋｗの範囲内である場合、制御コントローラ２００は、配分先の個数を「２」に決定し、充放電電力Ｐ／２を配分充放電電力に決定する。充放電電力Ｐが７５０〜９９９ｋｗの範囲内である場合、制御コントローラ２００は、配分先の個数を「３」に決定し、充放電電力Ｐ／３を配分充放電電力に決定する。このように、制御コントローラ２００は、すべての充放電ユニット１００（１）〜１００（ｊ）に対して、均等に配分した充放電電力の充放電指令を出力するのではなく、充放電電力Ｐに応じて決められた個数の充放電ユニット１００に対して充放電指令を出力する。つまり、制御コントローラ２００は、充放電ユニット１００（１）〜１００（ｊ）のうちの一部に対して、充放電電力を配分し、充放電指令を出力する。これにより、充放電ユニット１００の充放電効率を向上させることができる。
【００１４】
［蓄電池ユニットとＰＣＳ］
図２は、充放電ユニット１００の構成例を示す図である。図中、実線は電力線を、破線は通信線を、それぞれ示している。
充放電ユニット１００は、蓄電池ユニット１０と、電池端子盤３０と、ＰＣＳ４０とを備える。
蓄電池ユニット１０は、例えば、蓄電池装置（電池盤）１１（１）〜１１（ｎ）を備える。各蓄電池装置１１（１）〜１１（ｎ）は、同じ構成を有し、例えばｎ＝１６である。図２では一つの蓄電池装置１１（１）についてのみ内部を表示している。以下、一つの蓄電池装置１１（１）の構成を中心に説明する。蓄電池装置１１（１）は、並列接続されたｍ個の組電池ユニット１２（１）〜１２（ｍ）を備える。各組電池ユニット１２（１）〜１２（ｍ）は、同じ構成を有し、例えばｍ＝２２である。以下、一つの組電池ユニット１２（１）の構成を中心に説明する。
【００１５】
組電池ユニット１２（１）は、直列接続されたｋ個（例えばｋ＝２２個）の電池モジュール１３（１）〜１３（ｋ）を備える。各電池モジュール間には、スイッチ１５が設けられてよい。スイッチ１５は、例えば、いずれかの電池モジュールが点検のために取り離されるときに、直列回路をオフするために利用される。またスイッチ１５は、断路器（サービスディスコネクト）と兼用される場合があり、ヒューズとして機能する場合もある。この場合、挿抜状態やヒューズの状態を、ＢＭＵ（Battery  Monitoring  Unit；電池管理装置）１７に通知するための配線が設けられてよい。
【００１６】
各電池モジュール１３（１）〜１３（ｋ）は、少なくとも直列接続された複数の電池セルと、複数の電池セルの温度及び電圧を監視するＣＭＵ（Cell  Monitoring  Unit；電池監視ユニット）１４（１）〜１４（ｋ）とを備える。また、各電池モジュール１３（１）〜１３（ｋ）は、各電池セルの温度、または、電池モジュール内の温度を測定する温度測定部１３１（１）〜１３１（ｋ）（「第２温度測定部」の一例）を備える。温度測定部１３１（１）〜１３１（ｋ）は、測定結果を示す情報を、各ＣＭＵ１４（１）〜１４（ｋ）に出力する。各ＣＭＵ１４（１）〜１４（ｋ）は、各電池の端子間電圧、各電池セルの温度、電池モジュール内の温度等をモニタし、ＣＡＮ（Control  Area  Network）通信線などの多重通信線を介して、ＢＭＵ１７に出力する。
【００１７】
複数の電池モジュール１３（１）〜１３（ｋ）を直列接続した直列回路の一方の端子には、電流センサ１６が設けられる。電流センサ１６の検出値は、ＢＭＵ１７に出力される。また、この一方の端子は、スイッチ回路１８を介して蓄電池装置１１（１）の第１の充放電端子２２に接続される。スイッチ回路１８は、例えば、抵抗を持たない（抵抗Ｒに比して、例えば１／１０以下の抵抗値）スイッチＳ１と、抵抗Ｒを直列に接続したスイッチＳ２とが並列接続されている。第１の充放電端子２２には、各組電池ユニット１２（１）〜１２（ｍ）の例えば正極側端子が接続され、他方の第２の充放電端子２３には、各組電池ユニット１２（１）〜１２（ｍ）の例えば負極側端子が接続される。
【００１８】
ＢＭＵ１７は、例えばＣＰＵ（Central Processing Unit）などのプロセッサを備える。ＢＭＵ１７は、スイッチ回路１８のスイッチＳ１、Ｓ２を制御するための制御信号を出力する。また、ＢＭＵ１７は、関門制御装置（ゲートウェイ装置）１９、計測コンピュータ２０と接続されており、相互に通信を行うことができる。
ＢＭＵ１７は、各電池モジュール１３（１）〜１３（ｋ）のＣＭＵ１４（１）〜１４（ｋ）から出力された情報に基づき、組電池ユニット１２（１）の温度を算出し、算出結果を、計測コンピュータ２０に出力する。実施形態において、ＢＭＵ１７は、温度測定部１３１（１）〜１３１（ｋ）により測定された各電池セルの温度、または、各電池モジュール内の温度の平均値を、組電池ユニット１２（１）の温度として、算出する。
ＢＭＵ１７は、ＣＭＵ１４（１）〜１４（ｋ）から入力される各電池の端子間電圧、電流センサ１６から入力される検出値等に基づき、組電池ユニット１２（１）のＳＯＣ（State Of Charge；充電率）を算出する。これに限られず、ＢＭＵ１７は、組電池ユニット１２（１）のＳＯＣを測定してもよい。なお、ＳＯＣの取得方法としては、特許文献１に記載の手法、特許文献２に記載の手法、特許文献３に記載の手法などの一般的な手法が利用可能である。
【００１９】
関門制御装置１９は、ＢＭＵ１７から入力された情報を電池端子盤３０の制御コンピュータ３２に送信すると共に、制御コンピュータ３２から受信した情報をＢＭＵ１７などに出力する。具体的に説明すると、関門制御装置１９は、制御コンピュータ３２から受信する充放電指令に基づき、蓄電池装置１１（１）が配分充放電電力を充放電するよう各組電池ユニット１２（１）〜１２（ｍ）のＢＭＵ１７を制御する。
【００２０】
計測コンピュータ２０は、ＢＭＵ１７から入力される、各電池モジュール内の電池セルの端子間電圧、温度、電流センサ１６の検出値、ＢＭＵ１７において取得されたＳＯＣなどのデータを取得し、蓄電池ユニット１０の電池容量および内部抵抗の値などを算出する。
計測コンピュータ２０は、ＢＭＵ１７において取得されたＳＯＣに基づき、蓄電池装置１１（１）のＳＯＣを算出する。実施形態において、計測コンピュータ２０は、ＢＭＵ１７において取得された組電池ユニット１２（１）〜１２（ｍ）のＳＯＣの平均値を、蓄電池装置１１（１）のＳＯＣとして算出する。
計測コンピュータ２０は、ＢＭＵ１７から入力される情報に基づき、蓄電池装置１１（１）の蓄電池温度ＴＢａｔ（１）を算出し、制御コンピュータ３２に出力する。実施形態において、計測コンピュータ２０は、各組電池ユニット１２（１）〜１２（ｍ）の温度の平均値を、蓄電池装置１１（１）の蓄電池温度ＴＢａｔ（１）として算出する。
直流電源装置２１は、ＰＣＳ４０から制御コンピュータ３２に供給される電力を用いて、ＢＭＵ１７および各ＣＭＵ１４（１）〜１４（ｋ）に電力を供給する。
【００２１】
蓄電池ユニット１０とＰＣＳ４０との間には、電池端子盤３０が接続される。電池端子盤３０は、各蓄電池装置１１（１）〜１１（ｎ）のそれぞれに対応する遮断機３１（１）〜３１（ｎ）を備える。各遮断機３１（１）〜３１（ｎ）は、それぞれ手動で開閉操作される。各遮断器の正極側端子と負極側端子は、それぞれ共通化されてＰＣＳ４０に接続される。共通化された電池端子盤３０からの出力は、例えばＤＣ４９０［Ｖ］〜７７８［Ｖ］程度の電圧となるように設定されている。スイッチ回路と遮断機を二重化することで、一方のスイッチ回路が溶着した場合でも、安全に蓄電池装置１１（１）〜１１（ｎ）をシステムから切り離すことができる。制御コンピュータ３２は、ＣＰＵ等のプロセッサを備える。制御コンピュータ３２は、各遮断機３１（１）〜３１（ｎ）の状態を監視し、ＰＣＳ４０から受信した情報を蓄電池ユニット１０に送信すると共に、蓄電池ユニット１０から受信した情報をＰＣＳ４０に送信する。制御コンピュータ３２は、例えば、計測コンピュータ２０から入力する蓄電池温度ＴＢａtを示す情報を、ＰＣＳ４０に出力する。
【００２２】
ＰＣＳ４０は、蓄電池ユニット１０から入力されるＤＣ電圧をスッチングすることで昇圧し、交流（ＡＣ）出力を生成する。ＡＣ出力は、例えば５０Ｈｚで６．６［ｋＶ］である。また、ＰＣＳ４０は、発電装置Ｇから入力されるＡＣ電圧をＤＣ電圧に変換し、蓄電池ユニット１０の各電池セルを充電する。ＰＣＳ４０は、ＣＰＵ等のプロセッサ、制御コントローラ２００と双方向に通信するための通信インターフェース等を備える。ＰＣＳ４０は、例えば、制御コンピュータ３２から入力する蓄電池温度ＴＢａｔを示す情報を、制御コントローラ２００に出力する。
ＰＣＳ４０は、ＰＣＳ温度Ｔｐｃｓを測定する温度測定部４１（「第１温度測定部」の一例）を備える。温度測定部４１は、例えば、ＤＣ電圧をスイッチングするスイッチング素子の付近に設けられる。温度測定部４１は、測定したＰＣＳ温度Ｔｐｃｓを示す情報を制御コントローラ２００に出力する。
【００２３】
［制御コントローラ］
以下、制御コントローラ２００の構成および機能について説明する。
図３は、制御コントローラ２００の構成例を示すブロック図である。制御コントローラ２００は、プロセッサ２０１と、入力部２０２と、表示部２０３と、記憶部２０４と、通信インターフェース２０５とを備える。
プロセッサ２０１としては、ＣＰＵ、ＬＳＩ（Large  Scale  Integration）、または、ＡＳＩＣ（Application  Specific  Integrated  Circuit）等が利用可能である。
入力部２０２は、操作者からの操作指示を受け付け、受け付けた操作指示を示す操作信号をプロセッサ２０１に出力する。入力部２０２としては、キーボード、マウス、タッチパネル等が利用可能である。
表示部２０３は、プロセッサ２０１により制御され、操作ボタン等を含む表示画面を表示する。表示部２０３としては、液晶パネル、有機ＥＬ（Electro Luminescence）等が利用可能である。
記憶部２０４は、制御コントローラ２００が動作するためのさまざまな情報を記憶する。記憶部２０４は、例えば、ＲＯＭ（Read  Only  Memory）やＲＡＭ（Random  Access  Memory）、ＨＤＤ（Hard  Disk  Drive）、フラッシュメモリ等を含む。
通信インターフェース２０５は、ＰＣＳ４０と双方向に通信する。
【００２４】
制御コントローラ２００は、例えば、充放電指令部２０６と、ＳＯＣ調整部２０７と、表示制御部２０８とを備える。これらの機能部は、例えば、ＣＰＵ等のプロセッサ２０１が記憶部２０４に格納されたプログラムを実行することにより機能するソフトウェア機能部である。プログラムは、制御コントローラ２００の出荷時に予め記憶部に格納されていてもよいし、可搬型記憶装置に格納されたものが制御コントローラ２００にインストールされてもよい。また、プログラムは、インターネット等のネットワークを介して、他のコンピュータ装置から制御コントローラ２００にダウンロードされてもよい。また、制御コントローラ２００が備える機能部のうち一部または全部は、ＬＳＩやＡＳＩＣ等のハードウェア機能部であってもよい。
【００２５】
充放電指令部２０６は、ＰＣＳ温度Ｔｐｃｓ等に基づき、充放電される充放電ユニット１００の順序（以下、充放電順序という。）を決定し、充放電を指示する充放電指令を充放電順序に従って充放電ユニット１００に出力する。実施形態において、充放電指令部２０６は、各設定モードに応じた計算方法を用いて充放電指数を算出し、充放電指数の大小の並び順に従って、充放電順序を決定する。設定モードは、例えば、入力部２０２を介して操作者により選択され、設定される。実施形態では、充放電指数が高い（大きい）程、充放電順序の番号が小さくなり、充放電指数が低い（小さい）程、充放電順序の番号が大きくなる。
充放電指令部２０６は、充放電指数が高い順に充放電電力Ｐを配分し、配分した充放電ユニット１００に対して、充放電指令を出力する。つまり、充放電指令部２０６は、充放電順序の番号が最も小さい充放電ユニット１００から昇順に、充放電電力Ｐの配分先を決定する。配分先である充放電ユニット１００の個数が、全充放電ユニット１００の個数ｊよりも少ない場合、充放電電力Ｐは全ての充放電ユニット１００に配分されず、充放電指令部２０６は、充放電ユニット１００（１）〜１００（ｊ）のうちの一部に対して充放電電力を配分する。
【００２６】
ここで、充放電指令部２０６において利用される設定モードと充放電指数の一例について説明する。実施形態では、設定モードとして、高効率モード（「第１のモード」の一例）と、劣化抑制モード（「第２のモード」の一例）と、劣化均等化モード（「第３のモード」の一例）とが用意されている。
【００２７】
＜高効率モード＞
高効率モードとは、ＰＣＳ４０の充放電効率と蓄電池ユニット１０の性能（電力変換効率等）の両方を高くし、充放電ユニット１００全体の総合効率を高くするためのモードである。高効率モードが設定されている場合、充放電指令部２０６は、以下の式（１）に従って、充放電指数Ｕ１を算出する。つまり、充放電指令部２０６は、測定されたＰＣＳ温度Ｔｐｃｓと蓄電池温度ＴＢａtとに基づき、充放電指数Ｕ１を算出する。
充放電指数Ｕ１＝α・ＴＢａｔ×β・（Ｔｐｃｓ_ｍａｘ−Ｔｐｃｓ）…式（１）
なお、Ｔｐｃｓ_ｍａｘはＰＣＳ４０の過温度保護値であり、αは蓄電池ユニット１０の効率係数であり、βはＰＣＳ４０の効率係数である。αおよびβは、０〜１の値である。過温度保護値とは、ＰＣＳの性能を確保するための温度の最高値である。
【００２８】
ＰＣＳ４０の電力変換効率は、ＰＣＳ温度Ｔｐｃｓが低いほど高く、蓄電池ユニット１０の充放電効率は、蓄電池温度ＴＢａｔが高いほど高いという特性がある。よって、充放電指数Ｕ１が高いほど、充放電ユニット１００全体の総合効率が高くなる。
ただし、ＰＣＳ温度Ｔｐｃｓが環境温度（例えば、マイナス２０〜プラス３０度）よりも低い場合、ＰＣＳ４０の電力変換効率が悪くなる場合がある。また、蓄電池温度ＴＢａｔが極め高温である場合、蓄電池ユニット１０の充電効率が悪くなる場合がある。充放電指令部２０６は、ＰＣＳ温度Ｔｐｃｓが予め決められた下限値以上である場合において、充放電指数Ｕ１を算出し、充放電指数Ｕ１に基づき充放電順序を決定することが好ましい。また、充放電指令部２０６は、蓄電池温度ＴＢａｔが予め決められた上限値以下である場合において、充放電指数Ｕ１を算出し、充放電指数Ｕ１に基づき充放電順序を決定することが好ましい。
【００２９】
＜劣化抑制モード＞
劣化抑制モードとは、ＰＣＳ４０の性能を高くするとともに、蓄電池ユニット１０の劣化を抑制するためのモードである。劣化抑制モードが設定されている場合、充放電指令部２０６は、以下の式（２）に従って、充放電指数Ｕ２を算出する。つまり、充放電指令部２０６は、測定されたＰＣＳ温度Ｔｐｃｓと蓄電池温度ＴＢａｔとに基づき、充放電指数Ｕ２を算出する。
充放電指数Ｕ２＝α・（ＴＢａｔ_ｍａｘ−ＴＢａｔ）×β・（Ｔｐｃｓ_ｍａｘ−Ｔｐｃｓ）…式（２）
なお、ＴＢａｔ_ｍａｘは、蓄電池ユニット１０が充放電可能な蓄電池温度の最大値である。
【００３０】
ＰＣＳ４０の性能は、ＰＣＳ温度Ｔｐｃｓが低いほど高くなるという特性がある。一方、蓄電池温度ＴＢａｔが低いほど、蓄電池ユニット１０の劣化を抑制できるという特性がある。よって、充放電指数Ｕ２が高いほど、ＰＣＳ４０の性能を高くするとともに、蓄電池ユニット１０の劣化を抑制することができる。
ただし、蓄電池温度ＴＢａｔが環境温度（例えば、マイナス２０〜プラス３０度）よりも低い場合、ＰＣＳ４０の劣化抑制の効果が小さい場合がある。充放電指令部２０６は、蓄電池温度ＴＢａｔが予め決められた下限値以上である場合において、充放電指数Ｕ２を算出し、充放電指数Ｕ２に基づき充放電順序を決定することが好ましい。また、上述同様、充放電指令部２０６は、ＰＣＳ温度Ｔｐｃｓが予め決められた下限値以上である場合において、充放電指数Ｕ２を算出し、充放電指数Ｕ２に基づき充放電順序を決定することが好ましい。
【００３１】
＜劣化均等化モード＞
劣化均等化モードとは、ＰＣＳ４０の性能を高くするとともに、蓄電池ユニット１０の劣化度合いを均等化するためのモードである。劣化均等化モードが設定されている場合、充放電指令部２０６は、以下の式（３）に従って、充放電指数Ｕ３を算出する。つまり、充放電指令部２０６は、測定されたＰＣＳ温度Ｔｐｃｓと、測定値に基づき算出された蓄電池ユニット１０の劣化指数ＳＯＨＢａｔと基づき、充放電指数Ｕ３を算出する。
充放電指数Ｕ３＝α・（ＳＯＨＥＯＬ−ＳＯＨＢａｔ）×β・（Ｔｐｃｓ_ｍａｘ−Ｔｐｃｓ）…式（３）
なお、ＳＯＨＥＯＬは蓄電池ユニット１０の電池寿命到着時の劣化指数であり、蓄電池ユニット１０に応じて予め決められている。蓄電池ユニット１０の劣化指数ＳＯＨＢａｔは、高いほど劣化が大きく、低いほど劣化が小さいことを示す。
【００３２】
充放電指令部２０６は、以下の式（４）に従って、蓄電池ユニット１０の劣化指数ＳＯＨＢａｔを算出する。
ＳＯＨＢａｔ＝α１・（ＱＢＯＬ−Ｑ）×β１・（ＲＢＯＬ−Ｒ）…式（４）
なお、ＱＢＯＬは蓄電池ユニット１０の初期の電池容量であり、Ｑは測定または推定される蓄電池ユニット１０の電池容量である。ＲＢＯＬは、蓄電池ユニット１０の内部抵抗の初期値であり、Ｒは、測定または推定される蓄電池ユニット１０の内部抵抗である。α１は、蓄電池ユニット１０の電池容量係数であり、β１は、蓄電池ユニット１０の内部抵抗係数である。α１およびβ１は、０〜１の値である。
【００３３】
ＰＣＳ４０の性能は、ＰＣＳ温度Ｔｐｃｓが低いほど高くなるという特性がある。また、劣化指数ＳＯＨＢａｔが低い蓄電池ユニット１０を、劣化指数ＳＯＨＢａｔが高い蓄電池ユニット１０よりも優先して使用することで、劣化度合いを均等化させることができる。よって、充放電指数Ｕ３が高い蓄電池ユニット１０を優先して使用することにより、ＰＣＳ４０の性能を高くするとともに、蓄電池ユニット１０の劣化度合いを均等化させることができる。劣化度合いが均等化することにより、蓄電池ユニット１０の交換時期を遅らせることができる。
ただし、蓄電池温度ＴＢａｔが環境温度（例えば、マイナス２０〜プラス３０度）よりも低い場合、ＰＣＳ４０の劣化抑制の効果が小さい場合がある。このため、充放電指令部２０６は、ＰＣＳ温度Ｔｐｃｓが予め決められた下限値以上である場合において、充放電指数Ｕ３を算出し、充放電指数Ｕ３に基づき充放電順序を決定することが好ましい。
【００３４】
ＳＯＣ調整部２０７は、蓄電池ユニット１０のＳＯＣに基づき、優先的に充放電させる充放電ユニット１００を決定する。実施形態において、ＳＯＣ調整部２０７は、充放電ユニット１００のＳＯＣが所定の領域（以下、ＳＯＣ調整領域という。）の範囲内となるように、優先的に充放電指令を出力する充放電ユニット１００を決定する。具体的に説明すると、ＳＯＣ調整部２０７が、ＳＯＣ調整領域を超えてＳＯＣが高い充放電ユニット１００を優先的に放電対象に決定するとともに、ＳＯＣ調整領域を下回ってＳＯＣが低い充放電ユニット１００を優先的に充電対象に決定する。なお、放電対象とは、放電を実行する充放電ユニット１００であり、充電対象とは、充電を実行する充放電ユニット１００である。これにより、充放電ユニット１００（１）〜１００（ｊ）全体におけるＳＯＣのばらつきを軽減するように調整できる。ＳＯＣ調整領域は、ＳＯＣが５０％を含む所定の範囲内であることが好ましく、例えば、４０〜６０％の範囲である。
【００３５】
ＳＯＣ調整部２０７は、充放電ユニット１００のＳＯＣが７０％を超えた場合、ＳＯＣが６０％以下になるまで、ＳＯＣが７０％を超えた充放電ユニット１００を、優先的に放電対象に決定する。実施形態において、ＳＯＣ調整部２０７は、ＳＯＣが７０％を超えた充放電ユニット１００に対して、優先的な放電対象であることを示す情報（以下、放電優先フラグという。）を割り当てる。ＳＯＣ調整部２０７は、優先的な放電対象である充放電ユニット１００に対して、放電優先フラグをＯＮにし、優先的な放電対象でない充放電ユニット１００に対して、放電優先フラグをＯＦＦにする。
ＳＯＣ調整部２０７は、充放電ユニット１００のＳＯＣが３０％を下回った場合、ＳＯＣが４０％以上になるまで、ＳＯＣが３０％を下回った充放電ユニット１００を、優先的に充電対象に決定する。実施形態において、ＳＯＣ調整部２０７は、ＳＯＣが３０％を下回った充放電ユニット１００に対して、優先的な充電対象であることを示す情報（以下、充電優先フラグという。）を割り当てる。ＳＯＣ調整部２０７は、優先的な充電対象である充放電ユニット１００に対して、充電優先フラグをＯＮにし、優先的な充電対象でない充放電ユニット１００に対して、充電優先フラグをＯＦＦにする。
【００３６】
ＳＯＣ調整部２０７は、放電優先フラグおよび充電優先フラグに基づき、放電優先度および充電優先度を決定する。ＳＯＣ調整部２０７は、放電優先フラグがＯＮであり、且つ、充電優先フラグがＯＦＦである場合、放電優先度が「高」であり、充電優先度が「低」であると判定する。放電優先フラグがＯＦＦであり、且つ、充電優先フラグがＯＮである場合、ＳＯＣ調整部２０７は、放電優先度が「低」であり、充電優先度が「高」であると判定する。放電優先フラグがＯＦＦであり、且つ、充電優先フラグがＯＦＦである場合、ＳＯＣ調整部２０７は、放電優先度が「中」であり、充電優先度が「中」であると判定する。
【００３７】
ここで、図４を参照して、記憶部２０４に格納される充放電ユニット情報テーブルについて説明する。図４は、充放電ユニット情報テーブルの一例を示す図である。
図４に示す通り、充放電ユニット情報テーブルは、充放電ユニット番号と、放電優先フラグと、放電優先度と、充電優先フラグと、充電優先度と、ＳＯＣと、充放電指数とを対応付けて格納するテーブルである。
充放電ユニット番号は、充放電ユニット１００（１）〜１００（ｊ）を識別する情報である。充放電ユニット１００（１）〜１００（ｊ）には、それぞれ、充放電ユニット番号「１」〜「ｊ」が割り当てられている。放電優先フラグは、優先的な放電対象であるか否かを示す情報である。「○」はフラグがＯＮであり優先的な放電対象であることを示し、「‐」はフラグがＯＦＦであり優先的な放電対象でないことを示す。充電優先フラグは、優先的な充電対象であるか否かを示す情報である。「○」はフラグがＯＮであり優先的な充電対象であることを示し、「‐」はフラグがＯＦＦであり優先的な充電対象でないことを示す。ＳＯＣは、測定または推定される充放電ユニット１００のＳＯＣである。充放電指数は、充放電指令部２０６により算出される充放電指数である。
【００３８】
次に、図５を参照して、表示部２０３に表示される表示画面について説明する。図５は、表示画面の一例を示す図である。
図５に示す通り、表示部２０３の表示画面には、設定モードの表示欄と、ＳＯＣ調整モードの表示欄と、充放電ユニット情報の表示欄とが表示される。表示制御部２０８は、記憶部２０４内の充放電ユニット情報テーブル（図４参照）に格納されている情報に基づき、図５に示す表示画面を作成し、表示部２０３から表示させる。
【００３９】
設定モードの表示欄には、設定可能なモードを示すアイコンが表示され、現在設定されているモードのアイコンには色が付してある。図示の例では、高効率モードが設定されていることが表されている。なお、設定モードの各アイコンは、操作パネルであってもよく、入力部２０２は、選択されたアイコンのモードを設定する。
ＳＯＣ調整モードの表示欄には、ＳＯＣ調整モードが有効であることを示す「ＯＮ」アイコンと、ＳＯＣ調整モードが無効であることを示す「ＯＦＦ」アイコンとが表示されている。図示の例では、「ＯＮ」アイコンに色が付してあり、ＳＯＣ調整モードが有効であることが表されている。なお、各アイコンは、操作パネルであってもよく、入力部２０２は、ＯＮが選択された場合、ＳＯＣ調整モードを有効にし、ＯＦＦが選択された場合、ＳＯＣ調整モードを無効にする。
充放電ユニット情報の表示欄には、各充放電ユニット１００に関する情報が表示されている。図示の例では、各充放電ユニット１００（１）〜１００（ｊ）について、ＳＯＣ調整充放電、放電優先度、充電優先度、ＳＯＣ、および、充放電指数が表示されている。ＳＯＣ調整充放電の欄には、充放電ユニット１００の優先的な放電対象であるか否か、または、優先的な充電対象であるか否かを示す情報が表示されている。図示の例では、充放電ユニット１００（１）が優先的な放電対象であり、充放電ユニット１００（３）が優先的な充電対象であることが表されている。
【００４０】
次に、図６を参照して、ＳＯＣ調整モードが無効である場合における、充放電指令部２０６による処理の一例について説明する。図６は、充放電指令部２０６による処理の一例について説明するためのフローチャートである。
充放電指令部２０６は、充放電指数の更新タイミングに到達したか否かを判定する（ステップＳＴ１）。例えば、充放電電力Ｐが設定された場合、充放電指令部２０６は、充放電指数の更新タイミングに到達したと判定する。
【００４１】
充放電指数の更新タイミングに到達したと判定した場合、充放電指令部２０６は、各充放電ユニット１００（１）〜１００（ｊ）について、設定モードに応じた充放電指数を算出する（ステップＳＴ２）。例えば、高効率モードが設定されている場合、充放電指令部２０６は、式（１）に従って、各充放電ユニット１００（１）〜１００（ｊ）の充放電指数Ｕ１（１）〜Ｕ１（ｊ）を算出する。
【００４２】
次いで、充放電指令部２０６は、算出した充放電指数Ｕ１（１）〜Ｕ１（ｊ）の高い順に、充放電電力Ｐを配分する（ステップＳＴ３）。
例えば、充放電電力Ｐが５００〜７４９ｋｗの範囲内である場合、充放電指令部２０６は、配分先の個数を２に決定し、充放電指数Ｕ１（１）〜Ｕ１（ｊ）のうち、値が１番目に高い充放電ユニットと値が２番目に高い充放電ユニットに対して、充放電電力Ｐ／２を配分する。
【００４３】
そして、ＳＯＣ調整部２０７は、決定した配分先の充放電ユニット１００に対して、充放電指令を送信する（ステップＳＴ４）。例えば、充放電指令部２０６は、充放電指数Ｕ１が１番目に高い充放電ユニットと２番目に高い充放電ユニットに対して、分配充放電電力（充放電電力Ｐ／２）の充放電を指示する充放電指令を送信する。
【００４４】
次に、図７を参照して、ＳＯＣ調整モードが有効である場合における、ＳＯＣ調整部２０７による処理の一例について説明する。図７は、ＳＯＣ調整部２０７による処理の一例について説明するためのフローチャートである。
ＳＯＣ調整部２０７は、ＳＯＣ調整モードの更新タイミングに到達したか否かを判定する（ステップＳＴ２１）。例えば、前回の更新の時から所定時間が経過した場合、ＳＯＣ調整部２０７は、ＳＯＣ調整モードの更新タイミングに到達したと判定する。
ＳＯＣ調整モードの更新タイミングに到達したと判定した場合、ＳＯＣ調整部２０７は、充放電ユニット１００のＳＯＣを取得する（ステップＳＴ２２）。充放電ユニット１００のＳＯＣは、制御コントローラ２００のプロセッサ２０１の機能部により算出されてもよく、充放電ユニット１００の制御コンピュータ３２等により算出されてもよい。ＳＯＣ調整部２０７は、例えば、充放電ユニット１００（１）のＳＯＣ１を取得する。
【００４５】
ＳＯＣ調整部２０７は、ＳＯＣ１が７０％（第１閾値）を超えているか否かを判定する（ステップＳＴ２３）。ＳＯＣ１が７０％を超えていると判定した場合、ＳＯＣ調整部２０７は、充放電ユニット情報テーブルにおいて、充放電ユニット１００（１）に対応付けられる放電優先フラグを有効にする（ステップＳＴ２４）。
【００４６】
一方、ステップＳＴ２３において、ＳＯＣ１が７０％を超えていないと判定した場合、ＳＯＣ調整部２０７は、ＳＯＣ１が３０％（第２閾値）を下回っているか否かを判定する（ステップＳＴ２５）。ＳＯＣ１が３０％を下回っていると判定した場合、ＳＯＣ調整部２０７は、充放電ユニット情報テーブルにおいて、充放電ユニット１００（１）に対応付けられる充電優先フラグを有効にする（ステップＳＴ２６）。
【００４７】
一方、ステップＳＴ２５において、ＳＯＣ１が３０％を下回っていないと判定した場合、ＳＯＣ調整部２０７は、ＳＯＣ１が４０％以上かつ６０％以下の範囲内であるか否かを判定する（ステップＳＴ２７）。ＳＯＣ１が４０％以上かつ６０％以下の範囲内であると判定した場合、ＳＯＣ調整部２０７は、充放電ユニット情報テーブルにおいて、充放電ユニット１００（１）に対応付けられる放電優先フラグまたは充電優先フラグを無効にする（ステップＳＴ２８）。一方、ステップＳＴ２７において、ＳＯＣ１が４０％以上かつ６０％以下の範囲内でないと判定した場合、ＳＯＣ調整部２０７は、何もしない。
【００４８】
次いで、ＳＯＣ調整部２０７は、全ての充放電ユニット１００（１）〜１００（ｊ）について、ＳＯＣ調整モードの更新処理が実行されたか否かを判定する（ステップＳＴ２９）。ＳＯＣ調整部２０７は、全ての充放電ユニット１００（１）〜１００（ｊ）について、ＳＯＣ調整モードの更新処理を実行するまで、ステップＳＴ２２に戻って処理を繰り返す。
【００４９】
次に、図８を参照して、ＳＯＣ調整モードが無効である場合における、充放電指令部２０６による処理の一例について説明する。図８は、充放電指令部２０６による処理の他の例について説明するためのフローチャートである。
充放電指令部２０６は、充放電指数の更新タイミングに到達したか否かを判定する（ステップＳＴ３１）。例えば、充放電電力Ｐが設定された場合、充放電指令部２０６は、充放電指数の更新タイミングに到達したと判定する。
充放電指数の更新タイミングに到達したと判定した場合、充放電指令部２０６は、各充放電ユニット１００（１）〜１００（ｊ）について、設定モードに応じた充放電指数を算出する（ステップＳＴ３２）。
【００５０】
充放電指令部２０６は、設定された充放電電力Ｐを放電するのか、あるいは、充電するのかを判定する（ステップＳＴ３３）。
ステップＳＴ３３において放電すると判定した場合、充放電指令部２０６は、充電優先フラグが有効である充放電ユニット１００を放電対象から除外する（ステップＳＴ３４）。
次いで、充放電指令部２０６は、放電優先フラグが有効である充放電ユニット１００を優先して、充放電指数が高い順に充放電電力Ｐを配分する（ステップＳＴ３５）。
【００５１】
具体的に説明すると、充放電指令部２０６は、放電優先フラグが有効である充放電ユニット１００を放電対象に決定し、充放電電力Ｐを配分する。なお、放電優先フラグが有効である充放電ユニット１００が複数ある場合、充放電指令部２０６は、放電優先フラグが有効である充放電ユニット１００の中から充放電指数が高い順に、放電対象を決定し、充放電電力Ｐを配分する。放電優先フラグが有効である充放電ユニット１００の個数では配分先の個数に足りない場合、充放電指令部２０６は、充電優先フラグおよび放電優先フラグの両方が無効である充放電ユニット１００の中から、充放電指数が高い順に、放電対象を決定し、充放電電力Ｐを配分する。
【００５２】
次いで、充放電指令部２０６は、配分先が足りないか否かを判定する（ステップＳＴ３６）。例えば、配分先の個数が、充電優先フラグが有効である充放電ユニット１００を除外した充放電ユニット１００の個数よりも多い場合、配分先が足りないと判定する。
配分先が足りないと判定した場合、充放電指令部２０６は、充電優先フラグが有効である充放電ユニット１００の中から、充放電指数が高い順に、放電対象を決定し、充放電電力Ｐを配分する（ステップＳＴ３７）。
【００５３】
一方、ステップＳＴ３３において充電すると判定した場合、充放電指令部２０６は、放電優先フラグが有効である充放電ユニット１００を充電対象から除外する（ステップＳＴ３８）。
次いで、充放電指令部２０６は、充電優先フラグが有効である充放電ユニット１００を優先して、充放電指数が高い順に充放電電力Ｐを配分する（ステップＳＴ３９）。
【００５４】
具体的に説明すると、充放電指令部２０６は、充電優先フラグが有効である充放電ユニット１００を充電対象に決定し、充放電電力Ｐを配分する。なお、充電優先フラグが有効である充放電ユニット１００が複数ある場合、充放電指令部２０６は、充電優先フラグが有効である充放電ユニット１００の中から充放電指数が高い順に、充電対象を決定し、充放電電力Ｐを配分する。充電優先フラグが有効である充放電ユニット１００の個数では配分先の個数に足りない場合、充放電指令部２０６は、充電優先フラグおよび放電優先フラグの両方が無効である充放電ユニット１００の中から、充放電指数が高い順に、充電対象を決定し、充放電電力Ｐを配分する。
【００５５】
次いで、充放電指令部２０６は、配分先が足りないか否かを判定する（ステップＳＴ４０）。例えば、配分先の個数が、放電優先フラグが有効である充放電ユニット１００を除外した充放電ユニット１００の個数よりも多い場合、配分先が足りないと判定する。
配分先が足りないと判定した場合、充放電指令部２０６は、放電優先フラグが有効である充放電ユニット１００の中から、充放電指数が高い順に、充電対象を決定し、充放電電力Ｐを配分する（ステップＳＴ４１）。
【００５６】
充放電指令部２０６は、充放電電力Ｐの配分先に決定した充放電ユニット１００に対して、配分した配分充放電電力の充放電を指示する充放電指令を送信する（ステップＳＴ４２）。
【００５７】
上記実施形態では、設定モードとして、高効率モードと、劣化抑制モードと、劣化均等化モードとが用意されている例について説明したが、これに限られない。制御コントローラ２００は、例えば、高効率モード、劣化抑制モード、または、劣化均等化モードのうちいずれか１つを実行するものであってもよく、上述の通り、高効率モード、劣化抑制モード、および劣化均等化モード等の複数のモードの中から選択された一つのモードを実行するものであってもよい。
【００５８】
また、設定モードは、入力部２０２を介して選択されると説明したがこれに限られない。
例えば、充放電ユニット１００の経年劣化に応じて、モードの切り替えタイミングが予め決められていてもよい。この場合、充放電指令部２０６は、使用開始からの経過時間が切り換えタイミングに到達したことを判定した場合、設定モードを、例えば、高効率モードから劣化抑制モードに切り替えるものであってもよい。
また、充放電指令部２０６は、劣化指数ＳＯＨＢａｔに基づき、モードを切り替えてもよい。例えば、充放電指令部２０６は、劣化指数ＳＯＨＢａｔが予め決められた閾値を超えた場合に、劣化抑制モードに切り替えてもよい。全ての充放電ユニット１００（１）〜１００（ｊ）のうち、充放電ユニット１００（蓄電池ユニット１０）の劣化指数ＳＯＨＢａｔの最大値と最小値の差が予め決められた閾値を超えた場合、充放電指令部２０６は、劣化均等化モードに切り替えてもよい。
【００５９】
また、上述のステップＳＴ３５において、放電優先フラグが有効である充放電ユニット１００を優先して充放電指数が高い順に充放電電力を配分すると説明したがこれに限られない。例えば、放電優先フラグの有効無効に関わらず、充放電指数が高い順に充放電電力Ｐを配分してもよい。
【００６０】
また、上述のステップＳＴ３９において、充電優先フラグが有効である充放電ユニット１００を優先して充放電指数が高い順に充放電電力を配分すると説明したがこれに限られない。例えば、充電優先フラグの有効無効に関わらず、充放電指数が高い順に充放電電力Ｐを配分してもよい。
【００６１】
また、上述のステップＳＴ３４〜４１において、充放電指令部２０６は、充放電指数と放電優先フラグと充電優先フラグとに基づき、充放電順序を決定する例について説明したが、これに限られない。例えば、充放電指令部２０６は、充放電指数と放電優先度または充電優先度とに基づき、充放電順序を決定してもよい。具体的に説明すると、ステップＳＴ３３において放電すると判定した場合、充放電指令部２０６は、放電優先度が「低」である充放電ユニット１００を放電対象から除外する。次いで、充放電指令部２０６は、放電優先度が「高」である充放電ユニット１００を放電対象に決定し、充放電電力Ｐを配分する。なお、放電優先度が「高」である充放電ユニット１００が複数ある場合、充放電指令部２０６は、放電優先度が「高」である充放電ユニット１００の中から充放電指数が高い順に、放電対象を決定し、充放電電力Ｐを配分する。配分先の個数に足りない場合、充放電指令部２０６は、放電優先度が「中」である充放電ユニット１００の中から、充放電指数が高い順に、放電対象を決定し、充放電電力Ｐを配分する。
【００６２】
また、充放電指令部２０６は、充放電指数が高い順に充放電順序を決定すると説明したがこれに限られない。充放電指令部２０６は、充放電指数に対して、充放電ユニット１００のＳＯＣに対応する値を乗算した値に基づき、充放電順序を決定してもよい。例えば、充放電指令部２０６は、充放電指数に対して充放電ユニット１００のＳＯＣを乗算した値が高い順に、放電対象を割り当ててもよい。また、充放電指令部２０６は、１００％から充放電ユニット１００のＳＯＣを減算した値を充放電指数に対して乗算した値が高い順に、充電対象を割り当ててもよい。
【００６３】
以上説明した少なくともひとつの実施形態によれば、ＰＣＳ温度Ｔｐｃｓに基づき、充放電される充放電ユニット１００の充放電順序を決定し、充放電順序に従って充放電指令を出力する制御コントローラ２００を持つことにより、ＰＣＳ温度に依存するＰＣＳ４０の性能を向上させることができる。
【００６４】
また、制御コントローラ２００は、複数の充放電ユニット１００（１）〜１００（ｊ）のうち充放電電力を配分する充放電ユニットの個数を決定し、決定した個数の充放電ユニットを、充放電順序に従って選択し、選択した充放電ユニットに対して、配分された充放電電力の充放電を指示する充放電指令信号を出力する。これにより、充放電ユニット１００の充放電効率を向上させることができる。
【００６５】
また、制御コントローラ２００は、ＰＣＳ温度Ｔｐｃｓと蓄電池温度ＴＢａｔとに基づき、充放電順序を決定する。この構成により、ＰＣＳ温度に依存するＰＣＳ４０の性能を向上させると共に、蓄電池温度に依存する蓄電池ユニット１０の充放電効率を向上させることができる。また、ＰＣＳ温度に依存するＰＣＳ４０の性能を向上させると共に、蓄電池温度に依存する蓄電池ユニット１０の劣化を抑制することができる。
【００６６】
また、制御コントローラ２００は、高効率モード（第１のモード）が設定されている場合、ＰＣＳ温度Ｔｐｃｓと蓄電池温度ＴＢａｔとに基づき、充放電ユニット１００の総合効率を比較するための充放電指数Ｕ１（第１の指数）を算出し、充放電指数Ｕ１に基づき充放電電力Ｐを配分する。この構成により、総合効率が他の充放電ユニット１００に比べて高くなる充放電ユニット１００に対して優先的に充放電を実行させることができる。よって、充放電ユニット１００の総合効率を向上させることができる。
【００６７】
また、制御コントローラ２００は、劣化抑制モード（第２のモード）が設定されている場合、ＰＣＳ温度Ｔｐｃｓと蓄電池温度ＴＢａｔとに基づき、ＰＣＳ４０の性能および蓄電池ユニット１０の劣化抑制度合いを比較するための充放電指数Ｕ２（第２の指数）を算出し、充放電指数Ｕ２に基づき、充放電電力Ｐを配分する。この構成により、ＰＣＳ４０の性能と蓄電池ユニット１０の劣化抑制度合いとの組み合わせが、他の充放電ユニット１００に比べて良くなる充放電ユニット１００に対して優先的に充放電を実行させることができる。よって、ＰＣＳ４０の性能を向上させると共に、蓄電池ユニット１０の劣化を抑制することができる。
【００６８】
また、制御コントローラ２００は、劣化均等化モード（第３のモード）が設定されている場合、蓄電池ユニット１０の劣化の程度を示す劣化指数ＳＯＨＢａｔを算出し、ＰＣＳ温度Ｔｐｃｓと劣化指数ＳＯＨＢａｔとに基づき、ＰＣＳ４０の性能および蓄電池ユニット１０の劣化度合いを比較するための充放電指数Ｕ３（第３の指数）を算出し、充放電指数Ｕ３に基づき、充放電電力Ｐを配分する。この構成により、他の蓄電池ユニット１０よりも、ＰＣＳ４０の性能が高く劣化指数ＳＯＨＢａｔが低い蓄電池ユニット１０に対して、優先的に充放電を実行させることができる。よって、ＰＣＳ４０の性能を向上させると共に、劣化度合いを均等化させることができる。
【００６９】
また、制御コントローラ２００は、入力部２０２からの操作指示に基づき、設定モード（高効率モード、劣化抑制モード、劣化均等化モード）を切り替える。この構成により、充放電ユニット１００の使用期間や蓄電池の種類に応じて、適切であると判断された設定モードを設定することができる。
【００７０】
また、制御コントローラ２００は、充放電ユニット１００のＳＯＣに基づき、充放電ユニット１００のＳＯＣが予め決められたＳＯＣ調整領域内となるように、ＳＯＣがＳＯＣ調整領域外である充放電ユニット１００を優先的に充放電させる。この構成により、充放電ユニット１００（１）〜１００（ｊ）全体におけるＳＯＣのばらつきを軽減することができる。
【００７１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７２】
１０…蓄電池ユニット、１１…蓄電池装置（電池盤）、１２…組電池ユニット、１３…電池モジュール、１３１…温度測定部、１４…ＣＭＵ、３０…電池端子盤、４０…ＰＣＳ、４１…温度測定部、１００…充放電ユニット、２００…制御コントローラ、２０１…プロセッサ、２０２…入力部、２０３…表示部、２０４…記憶部、２０５…通信インターフェース、２０６…充放電指令部、２０７…ＳＯＣ調整部、２０８…表示制御部、３００…電力計、Ｇ…発電装置、Ｅ…電力系統、Ｔ…変圧器
【図１】
0006400484.tif 000002
【図２】
0006400484.tif 000003
【図３】
0006400484.tif 000004
【図４】
0006400484.tif 000005
【図５】
0006400484.tif 000006
【図６】
0006400484.tif 000007
【図７】
0006400484.tif 000008
【図８】
0006400484.tif 000009